(57)【要約】【課題】撮影者の意図と異なる画像がプリントされることを防止する。【解決手段】電子カメラは、撮影モード設定手段と、露出条件設定手段と、撮像手段と、撮像された画像データを記録する画像データ記録手段と、画像データの撮影モードを示すデータまたは露出設定を示すデータの少なくとも何れかに基づいて画像データに対してプリント時に階調補正することを禁止するか否かを判定する判定手段と、判定結果に基づき、プリント時に階調補正することを禁止するか否かを示すデータを生成する階調補正処理可否データ生成手段と、生成された階調補正処理可否を示すデータを、記録される画像データに付加する付加手段とを備える。【選択図】図２
2011083001.tif 000002
【特許請求の範囲】
【請求項１】
マニュアル撮影モードを含む複数の撮影モードから一の撮影モードを設定する撮影モード設定手段と、
撮影指示を行う撮影指示手段と、
撮影時の露出条件を設定する露出条件設定手段と、
結像された被写体像を光電変換して電子的な画像データを得る撮像手段と、
前記撮影指示によって撮像された画像データを記録する画像データ記録手段と、
前記記録された画像データの撮影モードを示すデータを記憶する撮影モード設定データ記憶手段と、
前記記録された画像データの露出設定を示すデータを記憶する露出設定データ記憶手段と、
前記記憶された撮影モードを示すデータまたは露出設定を示すデータの少なくとも何れかに基づいて前記画像データに対してプリント時に階調補正することを禁止するか否かを判定する判定手段と、
前記判定結果に基づき、プリント時に階調補正することを禁止するか否かを示すデータを生成する階調補正処理可否データ生成手段と、
前記生成された階調補正処理可否を示すデータを前記記録される画像データに付加する付加手段と、
を備えることを特徴とする電子カメラ。
【請求項２】
前記画像データを圧縮する圧縮手段と、
前記階調補正処理可否を示すデータを前記圧縮された画像データに付加して生成した画像ファイルを記録媒体に記録する記録手段と、
を更に備えることを特徴とする請求項１記載の電子カメラ。
【請求項３】
前記階調補正可否を示すデータは、撮影モードがマニュアルモードで撮影された旨の情報が含まれるとき、階調補正を禁止するデータとされたものである、
ことを特徴とする請求項１又は２記載の電子カメラ。
【請求項４】
前記階調補正可否を示すデータは、露出補正されて撮影された旨の情報、または、一部範囲を測光するスポット測光が指定されて撮影された旨の情報の少なくとも何れかが含まれるとき、階調補正を禁止するデータとされたものである、
ことを特徴とする請求項１乃至３の何れか一項に記載の電子カメラ。
【請求項５】
結像された被写体像を光電変換して電子的な画像データを得る撮像手段と、
撮像された画像データを記録する画像データ記録手段と、
前記画像データを圧縮する圧縮手段と、
前記記録された画像データの撮影時の撮影モードを示すデータ、または露出設定を示すデータを記憶する撮影関連データ記憶手段と、
前記記憶された撮影モードを示すデータまたは露出設定を示すデータの少なくとも何れかに基づいて前記画像データに対してプリント時に階調補正することを禁止するか否かを判定する判定手段と、
前記判定結果に基づき、プリント時に階調補正することを禁止するか否かを示すデータを生成する階調補正処理可否データ生成手段と、
前記生成された階調補正処理可否を示すデータを前記記録される画像データに付加する付加手段と、
前記階調補正処理可否を示すデータを前記圧縮された画像データに付加して生成した画像ファイルを記録媒体に記録する記録手段と、
を備えることを特徴とする画像データ生成装置。
【請求項６】
前記階調補正可否を示すデータは、撮影モードがマニュアルモードで撮影された旨の情報が含まれるとき、階調補正を禁止するデータとされたものである、
ことを特徴とする請求項５記載の画像データ生成装置。
【請求項７】
前記階調補正可否を示すデータは、露出補正されて撮影された旨の情報、または、一部範囲を測光するスポット測光が指定されて撮影された旨の情報の少なくとも何れかが含まれるとき、階調補正を禁止するデータとされたものである、
ことを特徴とする請求項５又は６記載の画像データ生成装置。
【請求項８】
電子カメラの画像データ記録方法であって、
マニュアル撮影モードを含む複数の撮影モードから一の撮影モードを設定すること、及び又は、撮影時の露出条件を設定することを行い、
撮影指示により、結像された被写体像を光電変換して電子的な画像データを取得し、
前記画像データを記録し、
前記記録された画像データの撮影モードを示すデータ、及び又は、前記記録された画像データの露出設定を示すデータ、を記憶し、
前記記憶された撮影モードを示すデータまたは露出設定を示すデータの少なくとも何れかに基づいて前記画像データに対してプリント時に階調補正することを禁止するか否かを判定し、
前記判定結果に基づき、プリント時に階調補正することを禁止するか否かを示すデータを生成し、
前記生成された階調補正処理可否を示すデータを前記記録される画像データに付加する、
ことを特徴とする画像データ記録方法。
【請求項９】
画像データ生成装置の画像データ記録方法であって、
結像された被写体像を光電変換して電子的な画像データを取得し、
前記画像データを記録し、
前記画像データを圧縮し、
前記記録された画像データの撮影時の撮影モードを示すデータ、または前記記録された画像データの露出設定を示すデータを記憶し、
前記記憶された撮影モードを示すデータまたは露出設定を示すデータの少なくとも何れかに基づいて前記画像データに対してプリント時に階調補正することを禁止するか否かを判定し、
前記判定結果に基づき、プリント時に階調補正することを禁止するか否かを示すデータを生成し、
前記生成された階調補正処理可否を示すデータを前記記録される画像データに付加し、
前記階調補正処理可否を示すデータを前記圧縮された画像データに付加して生成した画像ファイルを記録媒体に記録する、
ことを特徴とする画像データ記録方法。
【発明の詳細な説明】
【技術分野】
【０００１】
本発明は、画像データに付加された撮影情報に基づいて、その画像データをプリントする際に自動的に行われる階調補正処理の実行を行うか否かを制御する技術に関する。
【背景技術】
【０００２】
一般的に、電子カメラのＡＥ（Auto Exposure ：自動露出）機能では、被写体の反射する光の強さ（量）を測定し、その測定値から、被写体の反射率を１８％（いわゆる標準反射率）と仮定した時の露出値を求め、その露出値に基づいて絞りやシャッタースピードなどを設定して自動的に露出を調整するようにしている。
【０００３】
このように、電子カメラのＡＥ機能では、被写体の反射率を１８％と仮定した時の露出値を求めるように構成されているため、撮影された被写体によっては、得られた画像データの露出がアンダー気味になったりオーバー気味になったりすることがあった。例えば、被写体の大部分が反射率の高い白色の場合には、被写体に強い光が照射されていなくても、露出をアンダーにさせるような調整が行われ、逆に、被写体の大部分が反射率の低い黒色の場合には、被写体に強い光が照射されているとしても、露出をオーバーにさせるような調整が行われ、適正な露出調整が行われないことがあった。
【０００４】
従って、例えばこのような画像データをプリントする場合には、ユーザはプリントする前に、電子カメラが備える画像処理機能やペイント系のソフトウェアが備える画像処理機能などを利用して、適正な露出補正（階調補正）を行う必要があり、ユーザの負担は大きかった。
【０００５】
そこで、このようなユーザの負担を軽減するため、画像データをプリントする際に、プリンタ装置が、その画像データを解析して、先の白色や黒色の被写体を撮影したときのような階調補正が必要な画像データに対し、階調補正を自動的に実行し、適正な露出の画像がプリントされるように構成されたプリンタ装置が市場に流通するようになった。
【発明の概要】
【発明が解決しようとする課題】
【０００６】
しかしながら、画像データによっては、撮影者の意図により、例えば、撮影時にマニュアルモードにて絞りやシャッタースピードが設定されて撮影されたものや、露出補正されて撮影されたものや、スポット測光を利用して撮影されたものなど、意図的に非標準的な露出が指定されて撮影された画像データがある。
【０００７】
このような画像データを上述のプリンタ装置でプリントする場合には、意図的に非標準的な露出が設定されて撮影された画像データに対しても、プリンタ装置にて自動的に階調補正が行われてしまい、撮影者の意図しない画像がプリントされてしまうという新たな問題を発生させた。
【０００８】
本発明の課題は、上記実情に鑑み、撮影者により意図的に露出指定されて撮影された画像データをプリントするときに、自動階調補正処理を禁止するようにして、撮影者の意図と異なる画像がプリントされることを防止することができる技術を提供することである。
【課題を解決するための手段】
【０００９】
本発明の第１の態様に係る電子カメラは、マニュアル撮影モードを含む複数の撮影モードから一の撮影モードを設定する撮影モード設定手段と、撮影指示を行う撮影指示手段と、撮影時の露出条件を設定する露出条件設定手段と、結像された被写体像を光電変換して電子的な画像データを得る撮像手段と、前記撮影指示によって撮像された画像データを記録する画像データ記録手段と、前記記録された画像データの撮影モードを示すデータを記憶する撮影モード設定データ記憶手段と、前記記録された画像データの露出設定を示すデータを記憶する露出設定データ記憶手段と、前記記憶された撮影モードを示すデータまたは露出設定を示すデータの少なくとも何れかに基づいて前記画像データに対してプリント時に階調補正することを禁止するか否かを判定する判定手段と、前記判定結果に基づき、プリント時に階調補正することを禁止するか否かを示すデータを生成する階調補正処理可否データ生成手段と、前記生成された階調補正処理可否を示すデータを前記記録される画像データに付加する付加手段と、を備えることを特徴とする。
【００１０】
本発明の第２の態様に係る電子カメラは、上記第１の態様において、前記画像データを圧縮する圧縮手段と、前記階調補正処理可否を示すデータを前記圧縮された画像データに付加して生成した画像ファイルを記録媒体に記録する記録手段と、を更に備えることを特徴とする。
【００１１】
本発明の第３の態様に係る電子カメラは、上記第１又は２の態様において、前記階調補正可否を示すデータは、撮影モードがマニュアルモードで撮影された旨の情報が含まれるとき、階調補正を禁止するデータとされたものである、ことを特徴とする。
【００１２】
本発明の第４の態様に係る電子カメラは、上記第１乃至３の何れか一つの態様において、前記階調補正可否を示すデータは、露出補正されて撮影された旨の情報、または、一部範囲を測光するスポット測光が指定されて撮影された旨の情報の少なくとも何れかが含まれるとき、階調補正を禁止するデータとされたものである、ことを特徴とする。
【００１３】
本発明の第５の態様に係る画像データ生成装置は、結像された被写体像を光電変換して電子的な画像データを得る撮像手段と、撮像された画像データを記録する画像データ記録手段と、前記画像データを圧縮する圧縮手段と、前記記録された画像データの撮影時の撮影モードを示すデータ、または露出設定を示すデータを記憶する撮影関連データ記憶手段と、前記記憶された撮影モードを示すデータまたは露出設定を示すデータの少なくとも何れかに基づいて前記画像データに対してプリント時に階調補正することを禁止するか否かを判定する判定手段と、前記判定結果に基づき、プリント時に階調補正することを禁止するか否かを示すデータを生成する階調補正処理可否データ生成手段と、前記生成された階調補正処理可否を示すデータを前記記録される画像データに付加する付加手段と、前記階調補正処理可否を示すデータを前記圧縮された画像データに付加して生成した画像ファイルを記録媒体に記録する記録手段と、を備えることを特徴とする。
【００１４】
本発明の第６の態様に係る画像データ生成装置は、上記第５の態様において、前記階調補正可否を示すデータは、撮影モードがマニュアルモードで撮影された旨の情報が含まれるとき、階調補正を禁止するデータとされたものである、ことを特徴とする。
【００１５】
本発明の第７の態様に係る画像データ生成装置は、上記第５又は６の態様において、前記階調補正可否を示すデータは、露出補正されて撮影された旨の情報、または、一部範囲を測光するスポット測光が指定されて撮影された旨の情報の少なくとも何れかが含まれるとき、階調補正を禁止するデータとされたものである、ことを特徴とする。
【００１６】
また、本発明は、上記の電子カメラ及び画像データ生成装置の他、電子カメラの画像データ記録方法及び画像データ生成装置の画像データ記録装置として構成することも可能である。
【発明の効果】
【００１７】
本発明によれば、撮影者により意図的に露出指定されて撮影された画像データをプリントするときには、自動階調補正処理を禁止して、すなわち自動階調補正処理を行わずにプリントするようにしたため、撮影者の意図した画像と異なる画像がプリントされることを防止することが可能になる。
【図面の簡単な説明】
【００１８】
【図１】本発明の第一の実施の形態を示す電子カメラの外観図であり、(a) はその後面図、(b) はその前面図である。
【図２】本発明の第一の実施の形態を示す電子カメラのシステム構成を示す図である。
【図３】本発明の第一の実施の形態に示す、レリースボタンが押されたときに実行される処理を示すフローチャートである。
【図４】撮影情報を構成する撮影モードの種類と露出モードの種類を示す図である。
【図５】本発明の第一の実施の形態に示す、プリント処理を示すフローチャートである。
【図６】自動階調補正処理フラグ判断テーブルを示す図である。
【図７】自動階調補正処理の一例を示すフローチャートである。
【図８】(a)は自動階調補正処理前のヒストグラムを示し、(b) は自動階調補正処理後のヒストグラムを示す図である。
【図９】第二の実施の形態に示す、レリースボタンが押されたときに実行される処理を示すフローチャートである。
【図１０】第二の実施の形態に示す、プリント処理を示すフローチャートである。
【図１１】本発明の第三の実施の形態を示すプリンタ装置のシステム構成を示す図である。
【発明を実施するための形態】
【００１９】
以下、本発明の実施の形態を図面を参照しながら説明する。
図１(a),(b)は、本発明の第一の実施の形態を示す電子カメラの外観図であり、同図(a) はその後面図、同図(b) はその前面図を示している。この電子カメラは、インスタントフィルム用プリンタ（プリンタ部）を内蔵し、撮影した画像データをその場でプリントアウトできるように構成される、いわゆるインスタントフィルム現像機能付き電子カメラである。
【００２０】
図１(a) に示すように、電子カメラ１はその後面に、画像表示ＬＣＤ（Liquid Crystal Display）２、モードダイヤル３、パワーボタン４、ズームレバー５、十字キー６、スポット測光ボタン７、プリントボタン８などを備え、また、上面にはインスタントフィルム９を排出するフィルム排出口を有して構成されている。
【００２１】
画像表示ＬＣＤ２は、撮影した画像データやメモリカードに記録された画像データ、又はモニター画像などを表示する。
モードダイヤル３は、”Ｐ：プログラムモード（オートモード）”、”Ａ：絞り優先モード”、”Ｓ：シャッタースピード優先モード”、及び”Ｍ：マニュアルモード”などの撮影モードや、”ＰＲ：プリントモード”などの各種モードを切り換えるためのダイヤルである。
【００２２】
パワーボタン４は、電子カメラ１の電源をＯＮ／ＯＦＦするためのボタンである。
ズームレバー５は、ズームレンズをテレ側（Ｔ：望遠側）、若しくはワイド側（Ｗ：広角側）に駆動させるためのレバーである。
【００２３】
十字キー６は、上下左右を指示するためのキーであり、例えば画像表示ＬＣＤ２に表示されるメモリカードに記録された複数の画像データの中から所定の画像データを選択する際などに使用されるキーである。
【００２４】
スポット測光ボタン７は、撮影時の測光方式としてスポット測光を指定するためのボタンである。
プリントボタン８は、十字キー６により選択された画像データや撮影した画像データ等をプリント指示するためのボタンである。
【００２５】
インスタントフィルム９は、Ｆ（フィルム）電池と共にフィルムカートリッジに備えられ、このフィルムカートリッジは電子カメラ１から着脱可能に構成されている。
また図１(b) に示すように、電子カメラ１はその前面に、ズームレンズ１０、レリースボタン１１、ストロボ１２、フィルムカートリッジ蓋１３などを備えている。
【００２６】
ズームレンズ１０は、所定の範囲内で連続的に焦点距離を変更可能に構成されるレンズである。
レリースボタン１１は、撮影を指示するためのボタンである。
【００２７】
ストロボ１２は、暗所での撮影時や逆光での撮影時などに、瞬間的に強い光を発生させ、被写体が暗く撮影されてしまうのを防ぐときなどに利用されるものである。
フィルムカートリッジ蓋１３は、フィルムカートリッジの着脱時に開閉される蓋である。
【００２８】
図２は、このような電子カメラ１のシステム構成を示す図である。同図に示すように、この電子カメラ１は、撮影に寄与する構成（カメラ部）とプリントに寄与する構成（プリンタ部）を一体にして構成されている。
【００２９】
同図において、ズームレンズ系２１、撮像素子２２、撮像回路２３、及びＡ／Ｄ（アナログ／デジタル）変換回路２４で撮像部が構成されている。撮像部では、ズームレンズ系２１によって結像された被写体像が撮像素子２２によって光電変換され、その変換出力である画像信号が撮像回路２３を介してＡ／Ｄ変換回路２４に入力されるとそこでアナログ−デジタル変換されてデジタルデータである画像データが得られる。ここで、ズームレンズ系２１に備えられているレンズは、レンズ駆動制御回路２５により制御されているレンズ駆動部２６により駆動され、被写体像のフォーカスの調整が行なわれる。
【００３０】
シスコン（システムコントローラ）２７は、ＣＰＵ（中央演算処理装置）を備えて構成され、電子カメラ１を構成する各部を制御すると共に、画像データで示される画像の明暗・彩度・色合いなどを補正する各種の画像処理を行う。また、画像データからヒストグラムを作成するヒストグラム作成処理や、このヒストグラムに基づき画像データに階調補正を行う処理や、またプリントしようとする画像データとプリント後の画像の色ズレを補正するための色変換処理なども行う。
【００３１】
ＡＳＩＣ（Application Specific Integrated Circuit ）部２８は、ＪＰＥＧ（Joint Photographic Experts Group）方式による画像データの圧縮処理及び伸張処理を行う。
ＲＡＭ２９は、画像データを一時的に蓄えるバッファメモリとして使用される他、シスコン２７による各種処理のための作業用の記憶領域としても使用されるランダム・アクセス・メモリである。
【００３２】
ＲＯＭ３０は、電子カメラ１を構成する各部の制御をシスコン２７に備えられているＣＰＵに行わせるための制御プログラムや、各種の処理のために必要な演算データや、後述する自動階調補正処理フラグ判断テーブルなどが予め格納されているリード・オンリ・メモリである。
【００３３】
メモリＩ／Ｆ（インターフェース）３１は、カードスロット３２に挿入されたメモリカード３３との間でデータの授受を行うためのインターフェース機能を提供するものであり、データの読み書きの可能な半導体メモリを備えて構成されるメモリカード３３への画像データの書き込み、あるいはメモリカード３３からの画像データの読み出しの処理が行なわれる。
【００３４】
外部Ｉ／Ｆ（インターフェース）３４は、外部入出力端子３５に接続された外部機器、例えばパーソナルコンピュータ等との間でデータの授受を行うためのインターフェース機能を提供するものであり、外部機器への画像データや各種データなどの出力、あるいは外部機器からの画像データや各種データなどの入力処理が行われる。
【００３５】
ビデオメモリ３６はシスコン２７での画像処理によって得られる表示用の画像データを一時的に保持しておくためのメモリであり、この画像データはその後ビデオメモリ３６から読み出されてビデオ出力回路３７に入力されてビデオ信号である画像信号に変換される。この画像信号が画像表示ＬＣＤ２に入力されると画像が表示される。また、この画像信号はビデオアウト端子３８を介して他の機器へ送出することも可能である。
【００３６】
ラインメモリ３９は、シスコン２７での階調補正処理や色変換処理などの各種の画像処理によって得られるプリント用の画像データを１ラインデータ毎に保持しておくためのメモリである。
【００３７】
ＬＣＳ（Liquid Crystal Shutter：液晶シャッター）制御回路４０は、ラインメモリ３９に保持される１ラインの画像データを読み出し、これに基づいてＬＣＳ４１を制御し、インスタントフィルム９に露光されるＬＥＤ４３の光量を制御する。
【００３８】
フィルムカートリッジ９は、インスタントフィルム９及びＦ（フィルム）電池４６などを備え、インスタントフィルム９は、Ｆ電池４６を給電源として駆動制御回路４４により制御されている駆動部４５の駆動信号に基づき駆動されながら、ＬＥＤ４３を光源としてＬＣＳ４１を介して露光される。
【００３９】
操作部４７は、撮影者（ユーザ）により操作される、前述のモードダイヤル３、パワーボタン４、ズームレバー５、十字キー６、スポット測光ボタン７、プリントボタン８、レリースボタン１１などにより構成され、撮影者（ユーザ）からの各種の指示を受け取ってシスコン２７に伝えるためのものである。
【００４０】
電源部４８は、Ｆ電池４６の電圧、カメラ電池４９の電圧、若しくは外部電源端子５０に入力された電力の電圧を制御してこの電子カメラ１の各部に電力を供給する。
ストロボ発光部５１は、ストロボ１２を使用する撮影の際にストロボ１２を発光させるためのものである。
【００４１】
次に、電子カメラ１のシスコン２７に備えられているＣＰＵによって行なわれる、本発明に関係する各種の制御処理について説明する。尚、これらの処理は、電子カメラ１のＲＯＭ３０に格納されている制御プログラムをＣＰＵが読み取って実行することによって実現される。
【００４２】
図３、図５、図７は、電子カメラ１のシスコン２７で行なわれる制御処理の処理内容を示すフローチャートである。
図３は、レリースボタン１１が押されたときに実行される処理を示すフローチャートである。同図において、レリースボタン１１が押されて撮影指示が為されると、まず、撮像処理を行う（Ｓ３０１）。この撮像処理は、ズームレンズ系２１によって結像された被写体像を撮像素子２２により光電変換させ、その変換出力である画像信号を撮像回路２３を介してＡ／Ｄ変換回路２４に入力させ、そこでアナログ−デジタル変換させてデジタルデータである画像データを得る処理である。
【００４３】
続いて、得られた画像データに対しホワイトバランス（ＷＢ）などの各種画像処理を施し（Ｓ３０２）、更に、記録するデータ量を少なくするために、ＡＳＩＣ部２８によるＪＰＥＧ圧縮処理を行わせる（Ｓ３０３）。
【００４４】
続いて、この圧縮処理の終了した画像データに撮影情報を付加させるため、その画像データのファイルヘッダーに撮影情報として、撮影時の撮影モード及び露出モードを記録し（Ｓ３０４）、画像データとこれに付加された撮影情報（撮影モード及び露出モード）をメモリカード３３に記録して（Ｓ３０５）、当該フローを終了する。
【００４５】
尚、撮影情報において、撮影モードは、撮影時に撮影者によりモードダイヤル３が操作されることにより設定される。また、露出モードは、不図示の露出補正ボタン（＋／−ボタン）が押されるか、若しくは、スポット測光ボタン７が押されることにより設定される。上述の露出補正ボタンは、”＋”または”−”のボタンが押されることにより、例えば、”−３ＥＶ”、”−２ＥＶ”、”−１ＥＶ”、”０（補正なし）”、”＋１ＥＶ”、”＋２ＥＶ”、”＋３ＥＶ”等の露出が指定されるものである。
【００４６】
図４は、撮影情報を構成する撮影モードの種類と露出モードの種類を示す図である。同図に示すように、撮影モードは、”プログラムモード（オートモード）”、”絞り優先モード”、”シャッタースピード優先モード”、”マニュアルモード”の４種類の撮影モードがある。また、露出モードは、”露出補正無し”、”露出補正有り”、”スポット測光”の３種類の露出モードがある。撮影モードは、撮影者による撮影時のモードダイヤル３の操作により、”Ｐ：プログラムモード（オートモード）”が指定されたときに”オート”が、”Ａ：絞り優先モード”が指定されたときに”絞り優先”が、”Ｓ：シャッタースピード優先モード”が指定されたときに”シャッター速度優先”が、”Ｍ：マニュアルモード”が指定されたときに”マニュアル”が設定される。また、露出モードは、上述の露出補正ボタンが操作されて、例えば”０”以外の露出が指定されたときは、露出モードとして”露出補正（露出補正有り）”が設定され、スポット測光ボタン７が押されたときには”スポット測光”が設定され、それ以外のとき、すなわち、露出に関わる指定が為されなかったときは、”補正無し（露出補正無し）”が設定される。
【００４７】
次に、このようにしてメモリカード３３に記録された画像データのプリント処理について説明する。
図５は、プリント処理を示すフローチャートである。尚、同図に示すフローは、モードダイヤル３が”プリントモード”に設定されているときに行われる処理である。
【００４８】
同図において、まず、メモリカード３３に記録されている１ファイル（画像データ及びそれに付加されたの撮影情報）を読み出し（Ｓ５０１）、画像表示ＬＣＤ２にその画像データを表示する（Ｓ５０２）。尚、外部入出力端子３５を介して外部機器から画像データを読み出しても良い。
【００４９】
続いて、撮影者により十字キー６の左右キーが操作されたか否かを判断し（Ｓ５０３）、操作されたと判断したときは（Ｓ５０３が有り）、Ｓ５０１の処理に戻り、十字キー６の左右キーに基づいて、メモリカード３３から次の１ファイルを読み出し、同様にその画像データを画像表示ＬＣＤ２に表示する。一方、十字キー６が操作されていないと判断したときには（Ｓ５０３がなし）、プリントボタン８が押されたか否かを判断し（Ｓ５０４）、押されていないと判断したときには（Ｓ５０４がいいえ）Ｓ５０３の処理に戻る。
【００５０】
このように、Ｓ５０１〜Ｓ５０４の処理は、撮影者が十字キー６の右左キーを操作して、プリントしようとする画像データを選択する（プリントボタン８が押される）までの間、繰り返される処理である。
【００５１】
続いて、撮影者がプリントしようとする画像データを決定してプリントボタン８が押されたと判断したときには（Ｓ５０４が押下）、その決定された画像データに付加された撮影情報（撮影モード及び露出モード）とＲＯＭ３０に格納されている自動階調補正処理フラグ判断テーブルに基づいて、自動階調補正処理フラグをＯＮにするかＯＦＦにするかを判断し決定する処理を行う（Ｓ５０５）。
【００５２】
図６は、ＲＯＭ３０に格納されている自動階調補正処理フラグ判断テーブルを示す図である。同図に示すテーブルは、撮影モードと露出モードの組み合わせにより、自動階調補正処理フラグをＯＮ（許可）するかＯＦＦ（禁止）するかを示したテーブルである。同図では、自動階調補正処理フラグがＯＮされる撮影モードと露出モードの組み合わせに○を付し、自動階調補正処理フラグがＯＦＦされる組み合わせに×を付して示している。すなわち、自動階調補正処理フラグをＯＮにさせるための組み合わせは、撮影モードが”オート”で露出モードが”補正無し”のとき、又は撮影モードが”絞り優先”で露出モードが”補正無し”のとき、若しくは撮影モードが”シャッター速度優先”で露出モードが”補正無し”のときに自動階調補正処理フラグがＯＮにされる。そして、それ以外の撮影モードと露出モードの組み合わせの場合には、自動階調補正処理フラグはＯＦＦにされる。尚、撮影モードが”マニュアル”であったときは、露出モードの如何に問わず、自動階調補正処理フラグはＯＦＦにされる。
【００５３】
図５に戻り、このようにして自動階調補正処理フラグが決定されると、このフラグのＯＮ／ＯＦＦを判断する（Ｓ５０６）。この判断処理で、フラグがＯＮであると判断したときには（Ｓ５０６がはい）、プリント指定された画像データに対し後述する自動階調補正処理を行い（Ｓ５０７）、更に、前述した色変換処理（プリント画像処理）（Ｓ５０８）を行い、実際にインスタントフィルム９にその画像データに基づく画像をプリントする処理を行って（Ｓ５０９）、当該フローを終了する。
【００５４】
一方、Ｓ５０６の判断処理で、フラグがＯＦＦであると判断したときには（Ｓ５０６がいいえ）、自動階調補正処理を禁止し、すなわち自動階調補正処理を行わずに、Ｓ５０８の処理に移行して画像データに色変換処理を行い、インスタントフィルム９にその画像データに基づく画像をプリントする処理を行って（Ｓ５０９）、当該フローを終了する。
【００５５】
図７は、図５に示した自動階調補正処理（Ｓ５０７）の一例を示すフローチャートである。尚、本例では、画像データの各画素の階調値を、０（黒）〜中間色〜２５５（白）のデジタル値（８ビット）で表すように構成されている。従って同図に示す階調補正処理では、まずプリント指定された画像データのヒストグラムを作成し（Ｓ７０１）、このヒストグラムから階調値の最大値（ＭＡＸ）を求め（Ｓ７０２）、この最大値（ＭＡＸ）から、各画素の階調値を２５５／ＭＡＸ倍して（Ｓ７０３）階調補正を行うようにし、画像データの階調分布が平均化されるように処理している。尚、自動階調補正処理は、上述した方法に限られず、その他の方法を利用して自動階調補正処理を行うようにしても良い。
【００５６】
図８(a) は自動階調補正処理前のヒストグラムを示し、同図(b) は自動階調補正処理後のヒストグラムを示す図である。同図(a),(b) において、横軸は０（黒）〜中間調〜２５５（白）のデジタル値（８ビット）で示される階調値を示し、縦軸はその階調値の画素の頻度を示している。
【００５７】
同図(a) に示すように、自動階調補正処理前の画像データのヒストグラムでは、濃度の濃い階調（暗め）の画素が多く分布している。また、同図(a) のＭＡＸは階調値の最大値を示している。このＭＡＸ値から、上述したように、画像データの各画素の階調を２５５／ＭＡＸ倍して階調補正処理を行うことにより、同図(b) に示すような画像データの階調分布が得られ、同図(a) に示すヒストグラムに比べて階調分布が平均化されたヒストグラムが得られる。
【００５８】
以上、第一の実施の形態に示した電子カメラによれば、撮影時に、”Ｍ：マニュアルモード”が指定されたか、又は露出補正ボタンにより所定の露出が指定されたか、若しくはスポット測光ボタン７が押されたときなど、撮影者により意図的に露出が指定されたときには、自動階調補正処理フラグをＯＦＦにし、自動階調補正を禁止してプリントするように処理するため、撮影者が意図的に非標準的な露出指定を行った画像データに誤って自動階調補正処理が施されて、撮影者の意図しない画像がプリントされることを防止することが可能になる。
【００５９】
尚、第一の実施の形態において、例えば、撮影者（ユーザ）の操作により、一旦メモリカード３３に記録された画像データが画像表示ＬＣＤ２に表示され、その画像データに対し、撮影者の指示に基づく露出に関わる所定の画像処理が施されて再びメモリカードに記録されたときには、その記録の際に、プリント時のその画像データへの自動階調補正処理を禁止すべく、その画像データに付加される撮影情報として、撮影モード及び露出モード以外に、撮影後に露出に関わる画像処理が施された旨の情報を含むように構成しても良い。この情報を含む場合は、撮影モードと露出モードの種類にかかわらず、自動階調補正処理を禁止する旨の判定を行うように構成される。
【００６０】
また、第一の実施の形態において、撮影した画像データをメモリカード３３に記録せずにそのままプリントするように構成しても良い。
また、第一の実施の形態において、撮影情報は、撮影モードと露出モードから構成されるものであったが、その他の情報を含めるように構成しても良い。
【００６１】
次に、本発明の第二の実施の形態について説明する。
上述の第一の実施の形態では、プリント時に自動階調補正処理フラグを判断し決定するように構成されていたが、第二の実施の形態では、撮影時に自動階調補正処理フラグを判断し決定するように構成したものである。
【００６２】
図９は、第二の実施の形態に示す、レリースボタン１１が押されたときに実行される処理を示すフローチャートである。尚、同図は、第一の実施の形態に示した図３のフローチャートに対応するものであり、異なる処理は、図３のＳ３０３の処理とＳ３０４の処理の間に自動階調補正処理フラグを判断し決定する処理を加えたものである。
【００６３】
すなわち、図９において、レリースボタンが押されると、まず撮像処理を行い（Ｓ９０１）、得られた画像データにホワイトバランス（ＷＢ）などの画像処理を施し（Ｓ９０２）、これに更にＡＳＩＣ部２８によるＪＰＥＧ圧縮処理を行わせる（Ｓ９０３）。
【００６４】
続いて、撮影時の撮影条件、すなわちモードダイヤル３による撮影モードの指定、露出補正ボタンによる露出指定、及びスポット測光ボタン７によるスポット測光の指定などに基づいて図４に示した撮影モード及び露出モードを決定し、この撮影モードと露出モード及びＲＯＭ３０に格納されている自動階調補正処理フラグ判断テーブル（図６参照）に基づき自動階調補正処理フラグをＯＮにするかＯＦＦにするかを判断し決定する処理を行う（Ｓ９０４）。
【００６５】
続いて、Ｓ９０３の圧縮処理の終了した画像データに撮影情報を付加させるため、その画像データのファイルヘッダーに撮影情報として、決定された自動階調補正処理フラグを記録し（Ｓ９０５）、この画像データとこれに付加された撮影情報（自動階調補正処理フラグ）をメモリカード３３に記録し（Ｓ９０６）、当該フローを終了する。尚、この自動階調補正処理フラグは、階調補正を禁止するか否かの判断（判定）結果を示す情報でもある。
【００６６】
図１０は、第二の実施の形態に示す、プリント処理を示すフローチャートである。尚、同図に示すフローは、第一の実施の形態に示した図５のフローチャートに対応するものであり、図５に示したフローのＳ５０５の処理、すなわち、自動階調補正処理フラグをＯＮにするかＯＦＦにするかを判断し決定する処理を省いたものである。
【００６７】
すなわち、図１０において、メモリカード３３から画像データ及びそれに付加された撮影情報（自動階調補正処理フラグ）を読み出し（Ｓ１００１）、画像データを画像表示ＬＣＤ２に表示する（Ｓ１００２）。続いて、撮影者により、十字キー６及びプリントボタン８が操作されて、所定の画像データがプリント指定されると（Ｓ１００３がなし、Ｓ１００４が押下）、撮影情報の自動階調補正処理フラグがＯＮであるかＯＦＦであるかを判断する（Ｓ１００５）。この判断処理で、自動階調補正処理フラグがＯＮであると判断したときには（Ｓ１００５がはい）、例えば図７に示したような自動階調補正処理を画像データに施し（Ｓ１００６）、更に色変換処理を行い（Ｓ１００７）、実際にインスタントフィルム９にこの画像データに基づく画像をプリントする処理を行って（Ｓ１００８）、当該フローを終了する。一方、自動階調補正処理フラグがＯＦＦであると判断したときには（Ｓ１００５がいいえ）、自動階調補正処理を禁止、すなわち自動階調補正処理を行わずにＳ１００７の処理に移行して色変換処理（プリント画像処理）を行い（Ｓ１００７）、実際にインスタントフィルム９にこの画像データに基づく画像をプリントする処理を行って（Ｓ１００８）、当該フローを終了する。
【００６８】
以上、第二の実施の形態に示した電子カメラによれば、画像データに付加される撮影情報を、自動階調補正処理フラグにしたことにより、プリント時に行われていた自動階調補正処理フラグを判断して決定する処理を行わなくても済むようになるため、プリント時に係る処理の負荷を軽減させることが可能になる。
【００６９】
尚、第二の実施の形態において、撮影情報は、自動階調補正処理フラグから構成されるものであったが、その他の情報を含めるように構成しても良い。
次に、本発明の第三の実施の形態について説明する。
【００７０】
図１１は、本発明の第三の実施の形態を示すプリンタ装置のシステム構成を示す図である。同図に示すプリンタ装置は、図２に示した電子カメラにおいて、主にプリント処理に関わる構成を独立させたものである。従って、図２に示した構成と同一の機能を有するものについては同一の符号を付し、ここでは異なる構成についてのみ説明する。
【００７１】
図１１において、シスコン（システムコントローラ）１２７は、ＣＰＵ（中央演算処理装置）を備えて構成され、プリンタ装置を構成する各部を制御すると共に、画像データで示される画像の明暗・彩度・色合いなどを補正する各種の画像処理を行う。また、画像データからヒストグラムを作成する処理やこのヒストグラムに基づく階調補正処理やプリント後の色ずれを防止するための色変換処理なども行う。
【００７２】
ＲＯＭ１３０は、プリンタ装置を構成する各部の制御をシスコン１２７に備えられているＣＰＵに行わせるための制御プログラムや、各種の処理のために必要な演算データや、自動階調補正処理フラグ判断テーブル（図６参照）などが予め格納されているリード・オンリ・メモリである。
【００７３】
操作部１４７は、ユーザにより操作される、各種のスイッチ群、例えば、パワースイッチ、画像データを選択・決定するためのスイッチ、プリント指示するためのスイッチなどにより構成され、ユーザからの各種の指示を受け取ってシスコン１２７に伝えるためのものである。
【００７４】
電源部１４８は、Ｆ電池４６の電圧、若しくは外部電源端子５０に入力された電力の電圧を制御してこのプリンタ装置を構成する各部に電力を供給する。
このような構成のプリンタ装置は、メモリカード３３に記録されているファイル（画像データとこれに付加された撮影情報を含む）、若しくは外部入出力端子に接続されている外部機器の記憶部に記録されているファイル（画像データとこれに付加された撮影情報を含む）などの中から、所定のファイルがユーザによりプリント指示されると、まず、そのファイルを読み出し、そのファイルの撮影情報（撮影モードと露出モード、図４参照）とＲＯＭ１３０に格納されている自動階調補正処理フラグ判断テーブルに基づき自動階調補正処理フラグをＯＮにするかＯＦＦにするかを判断し決定する。ここで、自動階調補正処理フラグをＯＮに決定したときには、読み出したファイルの画像データに対し自動階調補正処理を行った後にプリント処理を行うようにし、自動階調補正処理フラグをＯＦＦに決定したときには、画像データへの自動階調補正処理を禁止して、すなわち自動階調補正処理を行わずにプリント処理を行うように処理する。
【００７５】
尚、上述の撮影情報が付加された画像データのファイルは、例えば、第一の実施の形態に示した電子カメラ１により記録されたファイルであるか、若しくはその電子カメラ１において、撮影処理に関わる構成を独立させて構成された（プリント処理に関わる構成を省いて構成された）電子カメラにより記録されたファイルなどである。
【００７６】
以上、第三の実施の形態に示したプリンタ装置によれば、プリント指示されたファイルの画像データに付加された撮影情報（撮影モード及び露出モード）に基づいてプリント時の自動階調補正処理を禁止するか否かを制御することが可能になる。
【００７７】
尚、第三の実施の形態において、撮影情報を、撮影モード及び露出モードの代わりに自動階調補正処理フラグにするように構成しても良い。この場合、撮影情報として自動階調補正処理フラグが付加された画像データのファイルは、例えば、第二の実施の形態に示した電子カメラにより記録されたファイルであるか、若しくは、その電子カメラにおいて、撮影処理に関わる構成を独立させて構成された（プリント処理に関わる構成を省いて構成された）電子カメラにより記録されたファイルなどである。このように構成することで、ＲＯＭ１３０に自動階調補正処理フラグ対応テーブルを格納する必要がないので、ＲＯＭ１３０のメモリ容量を少なく構成でき、また、自動階調補正処理フラグをＯＮするかＯＦＦするかを判断し決定する処理を行わなくて済むので、プリント時に係る処理の負荷を軽減させることも可能になる。
【００７８】
尚、上述の第一乃至第三の実施の形態では、プリント機構として、インスタントフィルム９にＬＣＳ４１を介してＬＥＤ４３の光を露光してプリントする構成を示したが、例えば、インクジェット方式や感熱方式など、その他のプリント機構を備えるように構成しても良い。
【符号の説明】
【００７９】
１      電子カメラ
２      画像表示ＬＣＤ
３      モードダイヤル
４      パワーボタン
５      ズームレバー
６      十字キー
７      スポット測光ボタン
８      プリントボタン
９      インスタントフィルム
１０    ズームレンズ
１１    レリースボタン
１２    ストロボ
１３    フィルムカートリッジ蓋
２１    ズームレンズ系
２２    撮像素子
２３    撮像回路
２４    Ａ／Ｄ変換回路
２５    レンズ駆動部
２６    レンズ駆動制御回路
２７、１２７    シスコン
２８    ＡＳＩＣ部
２９    ＲＡＭ
３０、１３０    ＲＯＭ
３１    メモリＩ／Ｆ
３２    カードスロット
３３    メモリカード
３４    外部Ｉ／Ｆ
３５    外部入出力端子
３６    ビデオメモリ
３７    ビデオ出力回路
３８    ビデオアウト端子
３９    ラインメモリ
４０    ＬＣＳ制御回路
４１    ＬＣＳ
４３    ＬＥＤ
４４    駆動制御回路
４５    駆動部
４６    Ｆ電池
４７、１４７    操作部
４８、１４８    電源部
４９    カメラ電池
５０    外部電源入力端子
５１    ストロボ発光部
【図２】
2011083001.tif 000003
【図３】
2011083001.tif 000004
【図４】
2011083001.tif 000005
【図５】
2011083001.tif 000006
【図６】
2011083001.tif 000007
【図７】
2011083001.tif 000008
【図８】
2011083001.tif 000009
【図９】
2011083001.tif 000010
【図１０】
2011083001.tif 000011
【図１１】
2011083001.tif 000012
【図１】
2011083001.tif 000013